(57)【要約】この発明は、積み重ねられ溶接されて少なくとも３つのタイル（２）を備える舗装を画定する少なくとも２つのシートで構成される物品（１）であって、各タイル（２）は少なくとも３辺および３頂点を備え、該タイル（２）は面を画定する少なくとも２つの空間方向に配備され、該タイル（２）は隣接しその辺の少なくとも１つによって互いに接続され、該タイル（２）は、水系媒体に対する少なくとも１つの吸収性材料または充填剤を含む少なくとも１つのコンパートメント（３）を備え、該タイル（２）は、少なくとも１つの溶接部によって閉じられ互いに接続され、該溶接部は、超音波、熱、または当業者に既知の任意の他のタイプの溶接によって生成されるものであり、溶接部は、混合溶接部（５）と、両側に接する弱化溶接部（６）および接合点（７）の連続またはプレカットから形成される脆弱線（８）とから構成され、該混合溶接部は、タイル（２）の隅が拡大溶接部表面積によって補強されるように各タイル（２）の近傍で広げられることを特徴とする物品（１）に関し、この発明はまた、該物品を製造する方法、および製造方法を実装するデバイスにも関する。発明による物品は、冷却熱圧定布として用いることができる。【選択図】図１Ｂ
2019514637.tif 000002
【特許請求の範囲】
【請求項１】
積み重ねられ溶接されて少なくとも３つのタイル（２）を備える舗装を画定する少なくとも２つのシート（４）からなる物品（１）であり、各タイル（２）は少なくとも３辺および３頂点を備え、
−前記タイル（２）は、面を画定する少なくとも２つの空間方向において配備され、
−前記タイル（２）は隣接し、その前記辺の少なくとも１つによって互いに接続され、
−前記タイル（２）は、水系媒体に対して吸収性を有する少なくとも１つの材料または充填剤を含む少なくとも１つのコンパートメント（３）を備え、
−前記タイル（２）は、少なくとも１つの溶接部によって閉じられ互いに接続され、
−前記溶接部は、超音波、熱、または当業者に既知の任意の他のタイプの溶接によって生成される、物品（１）でであって、
−前記溶接部は、混合溶接部（５）と、両側に接する弱化溶接部（６）および接合点（７）の連続またはプレカットで構成される脆弱線（８）とからなり、
−前記混合溶接部（５）は、前記タイル（２）の隅が拡大溶接部表面積によって補強されるように各タイル（２）の近傍で広げられることを特徴とする、物品（１）。
【請求項２】
前記シート（４）の少なくとも１つ、好ましくは、前記２つのシート（４）のそれぞれがいくつかの厚さの材料を積み重ねることで形成される、請求項１に記載の物品（１）。
【請求項３】
２つのタイル（２）の間の前記弱化溶接部（６）が各タイル（２）の頂点で連続する、請求項１または請求項２に記載の物品（１）。
【請求項４】
２つのタイル（２）の間の前記弱化溶接部（６）が、混合溶接部（５）の少なくとも２つの接合点（７）を生成するように、センチメートルあたり少なくとも２つの点で不連続である、請求項１〜３のいずれかに記載の物品（１）。
【請求項５】
前記コンパートメント（３）の表面が、前記タイル（２）の表面の１０〜９９％、好ましくは５０〜９５％、非常に好ましくは７０〜９０％を占める、請求項１〜４のいずれかに記載の物品（１）。
【請求項６】
水系媒体に対して吸収性を有する前記材料が好ましくはポリアクリレートタイプである、請求項１〜５のいずれかに記載の物品（１）。
【請求項７】
前記シート（４）の外面の少なくとも１つが、完全にまたは部分的に接着剤でコーティングされている、請求項１〜６のいずれかに記載の物品（１）。
【請求項８】
前記シート（４）の少なくとも１つが、好ましくは水または水系媒体である活性化液を通し、前記コンパートメントに含まれる前記材料が、水系媒体に対して吸収性を有する材料である、請求項１〜７のいずれかに記載の物品（１）。
【請求項９】
請求項１〜８のいずれかに記載の物品（１）であって、水を通すが、微生物、細菌および／またはウィルスに対して障壁である少なくとも１つの微孔のまたは微小孔の膜を備える包装で包装されている、物品。
【請求項１０】
請求項１〜９のいずれかに記載の物品（１）であって、
−前記物品（１）を備える第１のポケットと、
−水系媒体を備えるまたは受けることが可能である、前記第１のポケットから独立し前記第１のポケットに対して封止されている第２のポケットと、を備える包装であって、
−前記２つのポケットはその辺の１つを介して一体であり、
−前記２つのポケットは、前記第２のポケットから前記第１のポケットに流体を連通させる手段を備える包装
に包装されている物品（１）。
【請求項１１】
請求項１〜１０のいずれかに記載の少なくとも１つの物品（１）を備える冷却熱圧定布であって、前記物品が含む前記材料が水系媒体に対して吸収性を有する材料である場合、水系媒体に接触することによって活性化された、そして、冷却、冷凍または凍結された、冷却熱圧定布。
【請求項１２】
巻かれている、請求項１〜１０のいずれかに記載の少なくとも１つの物品（１）を備えるローラ。
【請求項１３】
帽子であって、好ましくは使い捨てであるヘアネットと請求項１〜１０のいずれかに記載の少なくとも１つの物品（１）とを備える、好ましくは化学療法治療に関連する脱毛に対応する化学療法用の帽子である、帽子。
【請求項１４】
一方は長手方向、他方は横方向の２つの溶接ステーションの前で少なくとも２つの非溶接シート（４）を連続的に流すことを備える請求項１〜１０のいずれかに記載の物品（１）の連続製造の方法であって、前記長手方向の溶接ステーションは、少なくとも３つの溶接領域、つまり２つの混合溶接領域（５）に接した弱化溶接領域（６）を備え、前記横方向の溶接ステーションは、少なくとも３つの溶接領域、つまり２つの混合溶接領域（５）に接した弱化溶接領域（６）を備える、方法。
【請求項１５】
請求項１４に記載の方法を実装するデバイスであって、少なくとも１つの溶接手段を備える長手方向の溶接ステーションであって、各手段は、不連続な弱化溶接部（６）を生成するように切り欠きを有し得、または、連続の弱化溶接部（６）を生成するように切り欠きなしである弱化溶接部ワッシャー（６）を囲む２つの混合溶接部ワッシャー（５）を備える、長手方向の溶接ステーションと、少なくとも１つの溶接手段を備える横方向の溶接ステーションであって、各手段は、不連続な弱化溶接部（６）を生成するように切り欠きを有し得、または、連続の弱化溶接部（６）を生成するように切り欠きなしである弱化溶接部ワッシャー（６）を囲む２つの混合溶接部ワッシャー（５）を備える、横方向の溶接ステーションと、を備える、デバイス。
【発明の詳細な説明】
【技術分野】
【０００１】
この発明は、熱圧定布タイプの物品の分野に関する。この発明は、詳細には、凍結療法の分野、特に、冷蔵、凍結または冷凍された熱圧定布タイプの物品の分野に関する。
【背景技術】
【０００２】
冷却は特定の身体疾患の治療に有効であることがよく知られている。冷却は、痛みを緩和するのにまたは浮腫みをとるのに有用である。場合によっては、冷却は治療予定の体の部分に無菌状態に従って適用されることが必要である。これは例えば感染を起こし得る皮膚の傷または強い炎症が存在する場合である。冷却の鎮痛作用は皮膚が＋５〜＋１２°Ｃの温度となるとき最適であることがさらに知られている。
【０００３】
冷却圧定布は多くの場合、水が満たされてから冷蔵または冷凍されることによって活性化されるポケットである。
【０００４】
米国特許出願第ＵＳ２００８／００２７５２３号は、氷点下に冷却された冷却流体を含む冷却要素を備える、対象者の体を冷却する熱ブランケットであり、この要素は対象者の体の様々な部分に配置されることを意図している熱ブランケットを記載する。柔軟性のある冷却ブランケットを得るために、いくつかの冷却要素は柔軟性のある支持体上に有利に配置される。それは、例えば布で形成された補強層を備え得る。しかしながら、冷却要素は、冷却ブランケットの寸法を対象者の寸法にまたは形態に合わせる目的で互いから切り離すことはできない。かくして、従来技術のこのブランケットは、長さおよび幅を変えることはできない。
【０００５】
欧州特許出願第ＥＰ６９１１１１号は、動物のまたは人間の四肢または体に適用するためのタンポンを備える熱圧定布であって、軟質プラスチック材のシートから作られる少なくとも２つの相互接続された封止ポケットのネットワークを備え、ポケットのそれぞれは０℃より低い凝固点を有する液体を含侵させた構造化合成物質を含む、熱圧定布を記載する。この圧定布は、溶接によって結合された矩形の封止ポケットのネットワークを備える。しかしながら、この圧定布の柔軟性は制限される、すなわち、そうした圧定布は、ポケットに液体が含侵され冷凍されると最終的にあまり柔軟性を有さず、適用予定の領域の湾曲に沿うことを可能としないものである。
【０００６】
冷却効果を有する圧定布を一方に水ポケットを他方に備え、圧定布および水ポケットが互いに接している、水密の少なくとも１つの外袋を備える物品も特許ＥＰ１６０７０７４から既知である。該圧定布は、乾燥状態で高い吸水能力を有するポリマーの粒子を含む、少なくとも部分的に水を通す封入物から形成される。該水ポケットは閉じられ水密と想定されるがポリマーを含む封入物と直接接触しており、しかしながら、水ポケットを形成する材料は多孔質で有名であるように、そこから逃げた水分はポリマーに早期分解を生じさせる。したがって、水ポケットの密封は経時的に制限される。水ポケットは、脆弱な領域を備え、その断裂により、水が、ポリマーを含む封入物に移動することが可能になる。圧定布は、１次元空間にしたがって整列された一連の袋から構成され得る。そうした圧定布は、ポケットに液体が含侵され冷凍されると、従来技術の他の圧定布と同じ欠点を有し、すなわち最終的にあまり柔軟性を有さなくなる。そうであるとき、その柔軟性は１次元空間にしたがってのみ制限される。かくして、この圧定布は、腹部、腕または大腿などの実質的に平坦なまたは円筒状である体の部分にのみ適する。一方、具体的には手、膝、足首、顎、頭蓋などといった複雑な形状を有する体の領域の湾曲に沿うことはできない。
【０００７】
このように、従来技術の圧定布は、長さおよび幅を調整することができない。
【０００８】
サイズを患者に対して予め整えることを回避する、破ることができる布または膜からなる構成可能な熱ブランケットも米国特許第ＵＳ２００６／０１７８７１７号から既知である。ブランケットは、複数の封止された別々のコンパートメントを備える。各コンパートメントは、１つまたはいくつかのコンパートメントの切り離しを可能にするために分離構造を備える連続シールによって全体が囲まれている。しかしながら、コンパートメントを分離しようとするとき、布ひいては圧定布が意図せず破れるリスクは管理されない。このように、従来技術のこの取り外し可能なカバーは、１つまたはいくつかのコンパートメントを切り離す際、破れる可能性がある。
【０００９】
最後に、冷却において快適であるというもう１つのニーズは、一般に従来技術のデバイス、特に本明細書中で上述したものによってカバーされない。実際のところ、冷却の適用は、最適条件において治療領域の皮膚の知覚麻痺をもたらすが、この効果を得るのに先立つ冷感は耐え難いヒリヒリする感覚という形を取り得、それはそうしたデバイスの許容の実質的な低減をもたらす。関節は凍結療法でよく考えられる標的であるが、ヒリヒリする感覚は冷却が関節に適用されるときにより顕著であることが知られている。
【００１０】
したがって、現在のデバイスが対応していない、冷却熱機能を有する材料を含む物品の使用における複数のニーズが存在する。具体的には、
−大きさ（長さ、幅および厚さ）と形状が調整可能であり、
−場合によっては、大きな長さ例えば数メートルで包装され、ニーズに応じて順次使用可能であり、
−物品のコンパートメントを切り離す際に破れないことが保証可能であり、
−患者に最適である快適な状況で冷却をもたらすことが可能である
物品のニーズが存在する。
【００１１】
定義
この発明では、本明細書中以下の用語は、以下のように定義される。
【００１２】
「Ａｄｈｅｓｉｖｅ（接着剤）」２つの物体を可逆的にまたは不可逆的にまとめることかつ一体を維持することを可能にする材料。
【００１３】
「Ｃｏｍｐａｒｔｍｅｎｔ（コンパートメント）」３次元空間において閉じられた容積部であって、この容積部は、壁部または接合部が開かれないまたは断裂されない限り、外部とまたは他の隣接するコンパートメントと連通しない。
【００１４】
「Ｃｏｍｐｒｅｓｓ（圧定布）」冷却効果または加熱効果を有する熱圧定布タイプの物品。
【００１５】
「Ｃｏｎｄｕｃｔｉｏｎ（伝導）」一般に固体である材料のカロリーを、分子攪拌の進行性伝搬によって送達する方法。
【００１６】
「Ｃｏｎｖｅｃｔｉｏｎ（対流）」流体のカロリーを流体自体の移動を介して送達する方法。
【００１７】
「Ｃｕｔ（切断）」切断して要素の２つの部分を完全に分離させる。
【００１８】
「Ｐａｃｋａｇｉｎｇ（包装）」商品を含有し保護することを、特に、その汚染を防ぎ、その処理および生産者から消費者へのまたはユーザへのその送達を可能にし、任意選択的にはその提示を確保することを意図した包装。
【００１９】
「Ａｐｐｒｏｘｉｍａｔｅｌｙ（約）」数字の前に置かれた用語「ａｐｐｒｏｘｉｍａｔｅｌｙ（約）」は、この数字の正規数のプラスまたはマイナス１０％を意味する。
【００２０】
「Ｓｈｅｅｔｓ（シート）」コンパートメントのそれぞれ上の囲いおよび下の囲い。２つのシートは、該コンパートメントを区切る線に沿って一体溶接される。シートは、任意選択的には、いくつかの積み重ねられた厚さで形成することができる。
【００２１】
「Ｒｅｉｎｆｏｒｃｅｍｅｎｔ  ｌａｙｅｒ（補強層）」物品の上に、その完全性を保証するために積み重ねられた布または膜を示す。
【００２２】
「Ａｑｕｅｏｕｓ  ｍｅｄｉｕｍ（水系媒体）」実質的に水を含む水溶液、液相、水のみ、または水と溶解添加剤の混合物。実施形態では、水系媒体は、この発明に記載したもののような活性剤を含み得る、実施形態では、水系媒体は、香味料または香料、着色剤、冷感を与える活性物質を含み得る、実施形態では、水系媒体は、生理的血清タイプの生理食塩水である。
【００２３】
「Ｎｏｎ−ｗｏｖｅｎ（不織）」指向的にまたはランダムに分布されたベール、インレー、またはフリースから形成された製品であり、その内部結合は、織りおよび編みを除いた機械的、物理的かつ／または化学的手法によって、かつ／または、これらの様々な手法の組み合わせによって提供される。
【００２４】
「Ｐａｖｉｎｇ（舗装）」面の各点がタイルにかつ１つのみに属するような面の分割。別の言い方をすると、舗装は、重なることなくまたは間に空間を残すことなく並置されたタイルを備える。別の実施形態では、タイルは互いに同一であり得、その点で、各タイルは対称移動、回転および／または相似によって任意の他のタイルから推定することができる。別の実施形態では、タイルは同一の舗装において異なる形状かつ／または大きさであり得る。タイルは任意の形状を有し得、具体的には、タイルは、正方形、矩形、三角形、六角形、円形であり得る。タイルは中身が詰まったまたは空洞であり得る。定義上、舗装は無限なものである。この発明では、有限表面積を有する物品は、それが実際には厳密に言って舗装と該物体の外周の交点であるとき「舗装である」と言えよう。
【００２５】
「Ｐｒｅｃｕｔ（プレカット）」２つのシートが結合するが一般に点線形状の部分的な切断部を有し２つのタイルの分離を可能にする、タイルの外周の全部または一部にわたる２つの隣接するタイルの間の空間の領域。
【００２６】
「Ａｂｓｏｒｂｅｎｔ  ｍａｔｅｒｉａｌ（吸収性材料）」自身の質量と比較して非常に大量の液体を吸収し保持することができる材料または粉末。実施形態によれば、タイルに配置された吸収性材料は、その質量の数倍の液体を吸収しそして容積部を占めることができる。吸収される液体は、水系媒体または有機液体であり得る。
【００２７】
「Ｉｎｔｅｇｒａｌ（一体）」２つの別々の要素の、互いに対する相対移動がなくかつ物理的に接続されている状態を特定する。
【００２８】
「Ｍｉｘ  ｗｅｌｄ（混合溶接部）」材料のまとまりであり、その部分的な混合をもたらし、かつ、まとめられる材料の連続性を提供する目的を有する。したがって、混合溶接部という用語は、本明細書では、その用語の最も一般的な許容における溶接部を示す。溶接は、まとめられる部分の部分溶融を誘発する加熱法により材料をまとめることからなる。
【００２９】
「Ｗｅａｋｅｎｉｎｇ  ｗｅｌｄ（弱化溶接部）」材料の混合および溶接部の厚さの低減を介した材料の溶接部；溶接部の厚さの低減は、溶接部を弱化させ、そして脆弱にするという効果を有する。
【００３０】
「Ｅｎｌａｒｇｅｄ  ｗｅｌｄ（拡大溶接部）」それに沿って溶接部の継ぎ目の幅が増大する溶接部領域。
【００３１】
「Ｊｕｎｃｔｉｏｎ  ｐｏｉｎｔ（接合点）」弱化溶接部がそこで遮られる幅０．１〜２ｍｍの、２つのタイルの間の補強接続領域。
【００３２】
「Ｆｒａｎｇｉｂｌｅ  ｌｉｎｅ（脆弱線）」それを介して２つのタイルをそれらの間で分離することができる領域を画定する弱化溶接部と接合点の交互。
【００３３】
「Ｉｎ  ｔｈｅ  ｖｉｃｉｎｉｔｙ（近傍で）」タイルの長さまたは幅に関して配置されたあるタイルのある点に対して、そのタイルのその長さまたはその幅の、この点に対する１〜１０％、好ましくは２〜５％の距離を意味する。
【発明の概要】
【００３４】
この発明は、従来技術のデバイスの欠点を回避し、本明細書中に上述したニーズに対応する物品を提供するという目的を有する。
【００３５】
かくして、発明は、第１の態様では、積み重ねられ溶接されて少なくとも３つ、好ましくは少なくとも４つのタイルを備える舗装を画定する２つのシートで構成される物品に関し、各タイルは少なくとも３辺および３頂点を備え、これらのタイルは面を画定する空間の少なくとも２方向に配備され、タイルは隣接しその辺の少なくとも１つによって互いに接続され、各タイルの外周の固着によって内部コンパートメントが画定され、この内部コンパートメントは、水系媒体に対する少なくとも１つの吸収性材料または充填剤を含む、２つのシートの間の空間であり、タイルは少なくとも１つの溶接部によって閉じられ互いに接続され、溶接は超音波、熱を介してまたは当業者に既知の任意のタイプの溶接によって行われ、溶接部は、混合溶接部と、両側に接する弱化溶接部および接合点の連続またはプレカットから形成される脆弱線とから構成され、混合溶接部は、タイルの隅が拡大溶接部表面積によって補強されるように各タイルの近傍で広げられ、好ましくは、混合溶接部は、タイルの辺の混合溶接部の幅よりも少なくとも１０％大きい幅を各タイルの近傍に有し、非常に好ましくは、混合溶接部は、タイルの各頂点に１〜１０、好ましくは２〜８、非常に好ましくは３〜５ｍｍの辺を有する三角形を形成する。
【００３６】
タイルの頂点におけるこの広げられた溶接部により、コンパートメントが膨らむとき（充填剤によって、または水系媒体に接触させられた吸収性材料によってのいずれかで）中心角にかかる力を低減させ、かつ、これを通して、特にタイルが分離される際、破れることを防ぐことが可能になる。
【００３７】
さらに、脆弱線は、２つの力を逆方向にかつタイルが形成する面に垂直な方向に手動でかけることによりタイルの分離が可能になるようなものである。しかしながら、この溶接部は、２つの力を逆方向にかつタイルが形成する面に平行な方向に手動でかけることによりタイルの分離を可能にしないようなものである。
【００３８】
したがって、この発明は、物品に残っているタイルの完全性を与えながら、物品からの特定のタイルの非常に簡単な分離をもたらす効果を有する。
【００３９】
かくして、実施形態では、タイルは、何らかの特定のツールを用いることなしに、かつ、舗装構造を弱体化させることなしに、破けることなく互いから切り離すことができる（活性化および／または凍結の前にまたは後に）。
【００４０】
実施形態では、２つのタイルの間の弱化溶接部は、各タイルの頂点において連続する。
【００４１】
実施形態では、２つのタイルの間の弱化溶接部は、少なくとも３つの接合点を生成するように、センチメートルあたり約３つの点とは不連続である。
【００４２】
発明の好ましい実施形態では、脆弱線は、タイルの外周に、より正確にはタイルの外周の全部または一部に位置する。
【００４３】
実施形態では、脆弱線は、タイルの全外周にわたって位置し、これにより、該タイルをそれが位置する舗装から切り離すことが可能になる。
【００４４】
実施形態では、弱化溶接部は、混合溶接部の外縁に位置する。実施形態では、タイルは、１つまたはいくつかの隣接タイルとの接続部の弱化溶接部以外の弱化溶接部を備える。
【００４５】
実施形態では、シートの少なくとも１つは、２倍の厚さからなり、好ましくは、２つのシートのそれぞれが２倍化される。この２倍化は、４つの主要な利点を有する。第１に、冷凍中の霜を減少させる。次に、冷却の快適さを実質的に高める。加えて、コンパートメントに含まれているゲルの移動を遅らせる。最後に、物品の固体性を増大させ、数回の再使用を可能にする。
【００４６】
実施形態では、物品は、補強層を備えない。
【００４７】
第１の実施形態では、物品は非無菌である。
【００４８】
第２の実施形態では、物品は無菌である。好ましくは、ガンマ線によってまたは当業者に既知の滅菌法によって滅菌される。
【００４９】
第３の実施形態では、物品はガンマ線によって消毒される。
【００５０】
実施形態では、コンパートメントの表面は、タイルの表面の１０〜９９％、好ましくは５０〜９５％、非常に好ましくは７０〜９０％を占める。
【００５１】
第１の実施形態では、タイルは、それが区切るコンパートメントのまたは複数のコンパートメントの形状と同一の形状を有する。
【００５２】
第２の実施形態では、タイルは、それが区切るコンパートメントのまたは複数のコンパートメントの形状と異なる形状を有する。
【００５３】
実施形態では、水系媒体に対して吸収性を有する材料は、ポリ（アクリル酸）の鎖またはその塩を含むまたはから形成される。実施形態では、水系媒体に対して吸収性を有する材料は、単一のタイプのポリマーから形成される。
【００５４】
実施形態では、水系媒体に対して吸収性を有する材料は、ポリ（アクリル酸）の鎖またはその塩を含まないまたはから形成されない。
【００５５】
実施形態では、水系媒体に対して吸収性を有する材料は、均質粒子を含み、コアシェルタイプという２つの部分で粒子を含むものではない。
【００５６】
実施形態では、材料は、外気中で吸収できる保水量の０．１〜２０％を吸収する。
【００５７】
実施形態によれば、シートの外面の少なくとも１つは、全体的にまたは部分的に接着剤でコーティングされる。
【００５８】
実施形態によれば、シートの外面の少なくとも１つは、皮膚に張り付くことなしに付着する材料、例えばシリコーンタイプの、具体的にはシリコーンゲルで、全体的にまたは部分的にコーティングされる。
【００５９】
実施形態によれば、シートの少なくとも１つは、好ましくは水または水系媒体である活性化液を通す。
【００６０】
実施形態によれば、少なくとも１つのシート、好ましくはシートの全ては、不織布から作られる。
【００６１】
実施形態によれば、シートは絶縁 層または絶縁材料を含まない。
【００６２】
実施形態では、タイルは熱成形されない。
【００６３】
発明の特定の実施形態では、２つのシートの少なくとも１つは、他方の積み重ねられたシートとともに、具体的には平行６面体、多面体、球形または半球の３次元のコンパートメントを形成するために熱成形される。実施形態では、物品は、長手方向縁である縁取りで囲まれる。縁取りは、物品の縁の全部または一部にわたる２つのシートの固着によって行うことができる。
【００６４】
実施形態では、物品は、水は通すが微生物、細菌および／またはウィルスに対して障壁である少なくとも１つの微孔のまたは微小孔の膜を備える包装で包装される。
【００６５】
別の実施形態では、包装は、複数ポケットであり、物品を含む第１のポケットと、水系媒体を含みまたは受けることが可能である、第１のポケットから独立し第１のポケットに対して封止された第２のポケットとを含む。２つのポケットは、その辺の１つを介して一体であり、第２のポケットから第１のポケットに流体を連通させる手段を含む。
【００６６】
包装を備える実施形態の全てにおいて、包装は、物品の取り出しを容易にするための、剥がすまたは破くことができる少なくとも１つの溶接部、好ましくは、剥がすことができる少なくとも２つの隣接する溶接部を備える。
【００６７】
かくして、発明は、水系媒体に対して吸収性を有する材料で満たすことができかつ水系媒体と接触することによって活性化させることができる物品であって、該活性化はタイルの内部コンパートメントの内部にある水と吸収性材料の混合物を膨らませる効果を有する、物品に関する。活性化後に、冷却、冷凍または凍結のステップが続く。代替として、熱圧定布を形成するために、発明による物品は、充填剤で満たされ膨らまされ、冷却、冷凍または凍結されることのみを必要とする。
【００６８】
したがって、第２の態様では、発明は、必要な場合活性化され（物品を含む材料が水系媒体に対して吸収性を有する材料である場合、活性化は発明による物品を水系媒体に接触させることによりなされる）、冷却、冷凍または凍結された、発明による物品を備える熱圧定布に関する。実施形態では、発明による熱圧定布は、固相から液相への転移の際に吸収される融解潜熱の輸送を介して、それと接触している任意の物体または体に冷却を伝える機能を有する。実施形態では、発明による熱圧定布は、対流によってまたは伝導によって、それと接触している任意の物体または体に冷却を伝える機能を有する。
【００６９】
第３の態様では、発明は、発明による物品を巻くことにより形成されたローラに関する。
【００７０】
第４の態様では、発明は、発明による物品を備える帽子に関する。より好ましくは、この帽子は、好ましくは使い捨てであるヘアネットを備えまたはそれから形成され、かつ発明による少なくとも１つの物品から形成される。有利に、この帽子は、化学療法治療に関連する脱毛に対応することを意図した化学療法用の帽子である。
【００７１】
第５の態様では、発明は、一方は長手方向、他方は横方向の２つの溶接ステーションの前で少なくとも２つの非溶接シートを連続的に流すことを備える、発明による物品を製造する方法に関する。長手方向の溶接ステーションは、少なくとも３つの溶接領域、つまり第１の縁領域、少なくとも１つの中間領域および第２の縁領域を備え、長手方向の溶接部は、２つの混合溶接部に接した弱化溶接部である。横方向の溶接ステーションは、少なくとも３つの溶接領域、つまり第１の縁領域、少なくとも１つの中間領域および第２の縁領域を備え、該横方向の溶接部は、２つの混合溶接部に接した弱化溶接部である。
【００７２】
２つの長手方向の溶接領域の距離は、タイルの長さを画定し、２つの横方向の領域の距離は、タイルの幅を画定する。
【００７３】
製造方法は、さらに、各タイルに水系媒体に対して吸収性を有する材料をその完全溶接に先立って堆積させることを含む。
【００７４】
第６の態様では、発明は、発明による方法を実装するデバイスに関する。デバイスは、少なくとも３つの溶接手段を備える長手方向の溶接ステーションを備え、各手段は、混合溶接部接合点を生成する不連続な弱化溶接部を生成するように切り欠きを有し得、または、連続の弱化溶接部を生成するように切り欠きなしである弱化溶接部ワッシャーを囲む２つの混合溶接部ワッシャーを備える。デバイスは、さらに、不連続な弱化溶接部を生成するように切り欠きを有し得、または、連続の弱化溶接部を生成するように切り欠きなしである弱化溶接部ワッシャーを囲む２つの混合溶接部ワッシャーを備える横方向の溶接ステーションを備える。
【図面の簡単な説明】
【００７５】
【図１Ａ】発明によるタイルのいくつかの実施形態を示す正面図である。
【図２Ａ】発明によるタイルのいくつかの実施形態を示す正面図である。
【図３Ａ】発明によるタイルのいくつかの実施形態を示す正面図である。
【図４Ａ】発明によるタイルのいくつかの実施形態を示す正面図である。
【図５Ａ】発明によるタイルのいくつかの実施形態を示す正面図である。
【図１Ｂ】発明による物品のいくつかの実施形態を示す正面図である。
【図２Ｂ】発明による物品のいくつかの実施形態を示す正面図である。
【図３Ｂ】発明による物品のいくつかの実施形態を示す正面図である。
【図４Ｂ】発明による物品のいくつかの実施形態を示す正面図である。
【図５Ｂ】発明による物品のいくつかの実施形態を示す正面図である。
【図６】発明による物品の実施形態の断面図である。
【図７Ａ】発明による熱成形された物品の正面図である。
【図７Ｂ】発明による熱成形された物品の側面図である。
【図８】複数ポケット包装に含まれる、発明による物品の図である。
【図９Ａ】単一ポケット包装に含まれる、発明による物品の図である。
【図９Ｂ】単一ポケット包装に含まれる、発明による物品の図である。
【図１０】膝の皮膚に適用する、発明による物品の使用の図である。
【図１１】発明による物品の実施形態を製造するデバイスの図である。
【００７６】
参照
１−物品
２−タイル
３−コンパートメント
４−シート
４Ａ−シートの外面
４Ｂ−シートの内面
５−混合溶接部
６−弱化溶接部
７−接合点
８−脆弱線
９−製造デバイス
９１−シートを案内し積み重ねるための機械部品
９２−垂直固着モジュール
９３−水平固着モジュール
９２１、９３１−超音波ユニット
９２２、９３２−固着ドラム
９４−コンベヤベルト
９４１−コンベヤベルト
９４２−モータ
９５−分散ユニット
９５１−袋
９５２−移動カム
９５３−中間貯蔵部
９５４−メカニカルバッチャ
９５５−メカニカルコリドー
１０−複数ポケット包装
１０１−第１のポケット
１０２−第２のポケット
１１−単一ポケット包装
１２−流体連通させる手段
１３−剥がすことができるまたは破くことができる溶接部
【発明を実施するための形態】
【００７７】
この発明は、発明を非限定的に示す図の説明を読むとより良く理解できる。
【００７８】
図１Ａ、２Ａ、３Ａ、４Ａおよび５Ａは、発明によるタイル２の正面図としての様々な実施形態を示す。各タイル２は、コンパートメント３を備える。
【００７９】
特に、図１Ａは、正方形のコンパートメント３を備える正方形のタイル２を示し、タイル２は、コンパートメント３の寸法よりわずかに大きな寸法のものである。
【００８０】
図２Ａは、三角形のコンパートメント３を備える三角形のタイル２を示し、タイル２は、コンパートメント３の寸法よりわずかに大きな寸法のものである。
【００８１】
図３Ａは、六角形のコンパートメント３を備える六角形のタイル２を示し、タイル２は、コンパートメント３の寸法よりわずかに大きな寸法のものである。
【００８２】
図４Ａは、円形のコンパートメント３を備える正方形のタイル２を示し、タイル２は、コンパートメント３の寸法よりわずかに大きな寸法のものである。
【００８３】
図５Ａは、正方形の４つのコンパートメント３を備える正方形のタイル２を示し、タイル２は、４つのコンパートメント３の寸法よりわずかに大きな寸法のものである。
【００８４】
図１Ｂ、２Ｂ、３Ｂ、４Ｂおよび５Ｂは、図１Ａ、２Ａ、３Ａ、４Ａおよび５Ａにそれぞれ示すような複数のタイル２を備える、正面からの物品１の図の様々な実施形態を示す。
【００８５】
物品１は、少なくとも３つのタイル２を備える。この性質により、全方向に柔軟性を有するという、発明が目指す機能性がもたらされる。
【００８６】
物品１は、それぞれが外面４Ａおよび内面４Ｂを有する２つのシート４を備える。
【００８７】
図６に示すように、各タイル２は、弱化溶接部（６）を囲む２つの混合溶接部（５）によって区切られた少なくとも１つのコンパートメント３を備える。これらの溶接部は、シートの内面４Ｂ同士を固着する。タイル２はその外周に沿って弱化溶接部を介して互いに接続され、この弱化溶接部により、タイル２は、何らかのツールを必要とせず素手で分離可能となる。
【００８８】
図７Ａおよび７Ｂは、２つのシート４の少なくとも１つが、他方の積み重ねられたシート４とともに、具体的には平行６面体、多面体、球形または半球の３次元のコンパートメント３を形成するために熱形成されている、発明の特定の実施形態の正面図および側面図をそれぞれ示す目的を有する。特に、図７Ｂでは、上シート４は熱成形されており、下シート４は熱成形されていない。
【００８９】
図８は、複数ポケット包装１０に含まれている、発明による物品１を示す。有利に、複数ポケット包装１０は、
−発明による物品１を備える第１のポケット１０１と、
−熱機能を有する材料の、無菌のまたは無菌ではない活性化液を備える（または備えることが可能な）第２のポケット１０２と、を備え、
−２つのポケット１０１、１０２は、その辺の１つを介して並置され、好ましくは該辺で一体であり、ポケット１０１は、物品の取り出しを可能にする、剥がすまたは破ることができる溶接部１３を有し、実施形態では、ポケット１０１は、剥がすことができる少なくとも２つの隣接する溶接部１３を備え、
−２つのポケットは、第２のポケット１０２と第１のポケット１０１の間に、好ましくは剥がすことができる溶接部である流体連通手段１２を備える。
【００９０】
図９Ａおよび９Ｂは、単一ポケット包装１１に含まれている、発明による物品１を示す。図９Ａは、包装１１に無菌保持されている物品１を示す。この実施形態では、包装１１は、任意の手段によって、具体的にはその外周の熱溶接を介して閉じられ、物品１をその無菌を保持するために外部環境から隔離する。実施形態では、溶接部１３は剥がすことができる。実施形態では、包装１１は、剥がすことができる少なくとも２つの隣接する溶接部を備える。実施形態では、物品１の活性化液は、流体連通手段１２を介して充填済みシリンジまたは充填済みポケットを用いて加えられた無菌の水系媒体であり、かくして、単一ポケット包装の中身はすべて無菌状態で保持することができる。図９Ｂの実施形態では、包装は、微孔のまたは微小孔のシート（微孔または微小孔は示さず）を備え、その外周溶接部１３はすべて剥がすことができる。非無菌構成で実装された第２の実施形態によれば、物品１は、物品１の活性化液への含浸を可能にするように単一ポケット包装１１から取り外される。
【００９１】
第３の実施形態によれば、単一ポケット包装１１は、活性化液の吸収を可能にする目的で、水系媒体を通すように、少なくとも１つの微孔のまたは微小孔の部分を備える。この後者の実施形態では、包装１１は活性化液内に直接くぐらせることができ、物品１はその熱転移を経てから包装１１から取り外すことができる。
【００９２】
図１０は、膝の皮膚に適用する、発明による物品１の使用を示す。物品１の柔軟性により、物品は膝を覆い、標的部分の全てにわたって冷却をもたらす。この図の実施形態に示す物品１は、脆弱線またはプレカット上で、長さが部分的に分離されている。この分離は、ひだの形成を防ぐことによって、覆われる表面を最適化すること、および、物品の分離部分がこの物品の別の部分に積み重ねられている、体の一部分にわたって、冷却を高めることを可能とする。
【００９３】
図１１は、発明による物品１の実施形態を製造するデバイス９を示す。このデバイスは、
−織られているまたは不織のシート４を予めほどいて張力を有さないシート４を供給する２つのモジュール（図示せず）と、
−固着動作の際、シート４を案内し積み重ねる２つのユニットの機械部品９１と、
−いくつかのコンパートメントを作成することを可能にする垂直固着モジュール９２であって、
−減速ギアによって制御されるレールパッド上の調整ユニットと、スチール固着ソノトロードと、コンバータユニットと２０ＫＨｚ超音波ブースターとを備える超音波ユニット９２１、および、
−機械部品と、ポケットを閉じるための固着サムホイールおよび脆弱線またはプレカットを作成するための切断／固着サムホイールであって、作成される物品の形にしたがって組み立てることができ位置決めすることができるサムホイールと、非同期減速ギアとが設けられた固着ドラム９２２を備える垂直固着モジュール９２と、
−物品を備えるポケットを閉じることを可能にする水平固着モジュール９３であって、
−減速ギアによって制御されるレールパッド上の調整ユニットと、スチール固着ソノトロードと、コンバータユニットと２０ＫＨｚ超音波ブースターとを備える超音波ユニット９３１、および、
−機械部品と、長手方向固着棒と、長手方向でポケットの脆弱線またはプレカットを作成するための切断／固着棒と、非同期減速ギアとが設けられた固着ドラム９３２を備える水平固着モジュール９３と、
−作成された物品の動力化および移動を可能にする真空コンベヤベルト９４であって、
−孔あきソールが設けられた機械部品のセット、
−真空を介して付着を可能にする孔あきコンベヤベルト９４１、および
−非同期減速ギア９４２を備える真空コンベヤベルト９４と、
−ポリアクリレート粉末を分散させるユニット９５であって、
−袋９５１から空気圧ユニットで構成される中間貯蔵部９５３と移動カム９５２への粉末を分散させる空気圧ユニット、
−分散を待機している粉末を保存する中間貯蔵部９５３、
−分散される粉末の容積計測を可能にするのに選択することができる５つのメカニカルバッチャ９５４であって、各バッチャは機械部品のセットおよび選択的な引き出しを行うための空気圧シリンダのセットから構成され、各バッチャは、製造される物品の形に関連して選択することができる、メカニカルバッチャ９５４、および、
−予め選択され画定されたポケットへの粉末の移動をもたらす５つのメカニカルコリドー９５５のセットを備える、分散ユニット９５と
を備える。
【図１Ａ】
2019514637.tif 000003
【図１Ｂ】
2019514637.tif 000004
【図２Ａ】
2019514637.tif 000005
【図２Ｂ】
2019514637.tif 000006
【図３Ａ】
2019514637.tif 000007
【図３Ｂ】
2019514637.tif 000008
【図４Ａ】
2019514637.tif 000009
【図４Ｂ】
2019514637.tif 000010
【図５Ａ】
2019514637.tif 000011
【図５Ｂ】
2019514637.tif 000012
【図６】
2019514637.tif 000013
【図７Ａ】
2019514637.tif 000014
【図７Ｂ】
2019514637.tif 000015
【図８】
2019514637.tif 000016
【図９Ａ】
2019514637.tif 000017
【図９Ｂ】
2019514637.tif 000018
【図１０】
2019514637.tif 000019
【図１１】
2019514637.tif 000020
【国際調査報告】
2019514637.tif 000021
2019514637.tif 000022
2019514637.tif 000023
2019514637.tif 000024
2019514637.tif 000025
2019514637.tif 000026
2019514637.tif 000027
2019514637.tif 000028